(57)【要約】      （修正有）【課題】ドライヤ装置による赤外線の照射による外部からの加熱乾燥及び送風、吸気による頭髪の均一の乾燥ができる装置を提供する。【解決手段】頭髪の乾燥に用いるスタンド式のドライヤ装置１であって、２μｍ〜４μｍの波長帯に分光放射輝度のピークを有する赤外線を放射するフィラメントを有する赤外線ヒーター部と、送風を行う送風部と、吸気を行う吸気部と、上記赤外線ヒーター部と、上記送風部を併設された輻射送風機構２と、上記赤外線ヒーター部と、上記吸気部が併設された輻射吸気機構３とを設けて、ドライヤ装置を構成する。【選択図】図１
0003154490.tif 000002
【実用新案登録請求の範囲】
【請求項１】
頭髪の乾燥に用いるスタンド式のドライヤ装置であって、
２μｍ〜４μｍの波長帯に分光放射輝度のピークを有する赤外線を放射するフィラメントを有する赤外線輻射部と、
送風を行う送風部と、
吸気を行う吸気部と、
上記赤外線輻射部と、上記送風部を併設された輻射送風機構と、
上記赤外線輻射部と、上記吸気部が併設された輻射吸気機構と、
を有することを特徴とするドライヤ装置。
【請求項２】
上記輻射送風機は、同時又は任意の組み合わせにより、上記赤外線輻射部と、上記送風部を作動させる、
上記輻射吸気機は、同時又は任意の組み合わせにより、上記赤外線輻射部と、上記吸気部を作動させる、
ことを特徴とする上記請求項１に記載のあるドライヤ装置。
【請求項３】
上記輻射送風機構は、上記赤外線輻射部に係る赤外線放出面と、上記送風部に係る風放出面とが重ならない配置に併設される、
上記輻射吸気機構は、上記赤外線輻射部に係る赤外線放出面と、上記吸気部に係る風吸気面とが重ならない配置に併設される、
ことを特徴とする上記請求項１又は２に記載のあるドライヤ装置。
【請求項４】
上記輻射送風機構は、上記赤外線輻射部が並設され、当該赤外線輻射部の間に送風部が並設して介設される、
上記輻射吸気機構は、上記赤外線輻射部が並設され、当該赤外線輻射部の間に吸気部が並設して併設される、
ことを特徴とする上記請求項１〜３に記載のあるドライヤ装置。
【請求項５】
上記輻射吸気機構をドライヤ装置の頂部に設け、上記輻射送風機構を上前方部と、両側部と、中段部に設けて配置する、
ことを特徴とする上記請求項１〜４のいずれかに記載のあるドライヤ装置。
【請求項６】
上記フィラメントは、植物性炭素繊維である、
ことを特徴とする上記請求項１〜５のいずれかに記載のあるドライヤ装置。
【請求項７】
複数の延線されたコードの先端に、内部に発熱体を含むカーラーと、
を有することを特徴とする上記請求項１〜６のいずれかに記載のあるドライヤ装置。
【請求項８】
複数の延線されたコードの先端に接続口が形成され、当該接続口に内部に発熱体を含むカーラーを接続する、
ことを特徴とする上記請求項１〜６のいずれかに記載のあるドライヤ装置。
【請求項９】
上記コード及びカーラーは、ドライヤ装置の頂部から下垂している、
ことを特徴とする上記請求項７又は８に記載のあるドライヤ装置。
【請求項１０】
上記輻射送風機構と、上記輻射吸気機構と、上記カーラーは、同時又は任意の組み合わせにより、上記赤外線輻射部と、上記送風部と、上記吸気部と、上記カーラーと、を作動する、
ことを特徴とする上記７〜９のいずれかに記載のあるドライヤ装置。
【考案の詳細な説明】
【技術分野】
【０００１】
本考案は、美容院や理容院でパーマネントウェーブ、乾燥、染毛等の各種施術の際に使用するドライヤ装置に関する。
【背景技術】
【０００２】
従来は、美容院や理容院で用いられる大型のヘアドライヤ装置は、スタンドに加熱ヒーターと送風機を組み込んだヘッドを取り付けたものや、加熱ヒーターと送風機を複数組み込んだ複数のヘッドを可動自在としたものが知られている。
【０００３】
また、従来のパーマネントウェーブ装置として、電熱ロッドを使用するものがある。この電熱ロッドに、ウェーブ剤を塗布した頭髪を巻き付けた後に、電熱ロッドを発熱させ頭髪を変形する施術をすることが行われている。
【０００４】
ヘアドライヤ装置を使用し、頭髪を乾燥させる際に、加熱ヒーターが頭部の一部分に集中的に照射され、頭髪全体を均一に乾燥させることが困難であった。また、ヘアドライヤ装置のヘッドが可動することで、頭髪全体に加熱ヒーターの熱を照射することができたとしても、頭髪の外表を加熱するのみで、頭皮に近い内部までの加熱乾燥するものではなかった。単に、乾燥させるのみでなく頭髪へのダメージの軽減を目的として、ミストを噴射することで、頭髪の乾燥及びダメージ軽減をする装置も開示されている。
【０００５】
また、電熱ロッドを使用したパーマネントウェーブ装置では、ウェーブ剤を塗布して頭髪を電熱ロッドに巻き付けることで、電熱ロッド表面に接する、若しくは近接する頭髪は加熱されるが、巻き付けられて外側の頭髪には電熱ロッドの熱が十分に伝わらず、頭髪が均一に加熱させるのが困難であった。さらに、巻き付けた外側の頭髪にも熱を伝えるために電熱ロッドの加熱温度を高温にすると、頭皮に高温が伝わり施術を受けるものに不快感を与えるものでもあり、加えて、頭髪へのダメージを与えることも問題であった。
【先行技術文献】
【特許文献】
【０００６】
【特許文献１】特開２００１−３１４２２５号公報
【特許文献２】特開２００５−２７９２４０号公報
【考案の概要】
【考案が解決しようとする課題】
【０００７】
しかしながら、ヘアドライヤ装置を用いて外部から頭髪を乾燥させる際に、加熱照射による熱乾燥と、送風による乾燥を併用した乾燥において、頭髪全体の表面を乾燥させ、頭皮近くを含む頭髪全体の内部から頭髪を乾燥させるものではなかった。
また、電熱ロッドを用いて乾燥させる場合においても、本来のパーマネントウェーブの変形効果を発揮するために必要な施術時間や、加熱温度を考慮しても、加熱温度が最適であることが望まれる。また、施術時間や施術者の工数の軽減のためにも、被施術者が長時間に及ぶ処理等を受ける負荷を軽減するためにも、ウェーブ効果を十分に発揮する加熱乾燥、若しくは乾燥の容易さを実現するドライヤ装置が望まれている。
【０００８】
本考案は、上記課題を解決するものであって、頭髪を短時間に効果的に乾燥ができ、かつ、頭髪に与える熱によるダメージを軽減しすることで、頭髪全体を均一に乾燥することができるドライヤ装置を提供することを目的とする。
【課題を解決するための手段】
【０００９】
本考案は、上記目的を達成するために、頭髪の乾燥に用いるスタンド式のドライヤ装置であって、２μｍ〜４μｍの波長帯に分光放射輝度のピークを有する赤外線を放射するフィラメントを有する赤外線輻射部と、送風を行う送風部と、吸気を行う吸気部と、上記赤外線輻射部と、上記送風部を併設された輻射送風機構と、上記赤外線輻射部と、上記吸気部が併設された輻射吸気機構とを有することを特徴とする。
【００１０】
本考案は、上記輻射送風機は、同時又は任意の組み合わせにより、上記赤外線輻射部と、上記送風部を作動させる、上記輻射吸気機は、同時又は任意の組み合わせにより、上記赤外線輻射部と、上記吸気部を作動させる、ことを特徴とする。
【００１１】
本考案は、上記輻射送風機構は、上記赤外線輻射部に係る赤外線放出面と、上記送風部に係る風放出面とが重ならない配置に併設される、上記輻射吸気機構は、上記赤外線輻射部に係る赤外線放出面と、上記吸気部に係る風吸気面とが重ならない配置に併設される、  ことを特徴とする。
【００１２】
本考案は、上記輻射送風機構は、上記赤外線輻射部が並設され、当該赤外線輻射部の間に送風部が並設して介設される、上記輻射吸気機構は、上記赤外線輻射部が並設され、当該赤外線輻射部の間に吸気部が並設して併設される、ことを特徴とする。
【００１３】
本考案は、上記輻射吸気機構をドライヤ装置の頂部に設け、上記輻射送風機構を上前方部と、両側部と、中段部に設けて配置する、ことを特徴とする。
【００１４】
本考案は、上記フィラメントは、植物性炭素繊維である、ことを特徴とする。
【００１５】
複数の延線されたコードの先端に、内部に発熱体を含むカーラーと、を有することを特徴とする。
【００１６】
複数の延線されたコードの先端に接続口が形成され、当該接続口に内部に発熱体を含むカーラーを接続する、
ことを特徴とする。
【００１７】
本考案は、上記コード及びカーラーは、ドライヤ装置の頂部から下垂している、ことを特徴とする。
【００１８】
本考案は、上記輻射送風機構と、上記輻射吸気機構と、上記カーラーは、同時又は任意の組み合わせにより、上記赤外線輻射部と、上記送風部と、上記吸気部と、上記カーラーと、を作動する、ことを特徴とする。
【考案の効果】
【００１９】
本考案に係るドライヤ装置によれば、赤外線ヒーターによる加熱温度、又は、カーラーによる伝熱温度が６０℃以下に容易に温度制御することができ、パーマネントウェーブ剤の浸透を十分に促進することができるので頭髪への熱によるダメージを軽減して、頭髪の変形を可能として、乾燥による頭髪の形状を安定させることが可能となる。
【００２０】
また、ドライヤ装置による被施術者の頭部を外部からの育成光線波長の赤外線の照射により、水分を多く含む頭髪に対して効率的に加熱されることで、均一に頭髪全体を乾燥できるのみでなく、単に表面を加熱する乾燥処理に比べ、乾燥時間の短縮が可能となる。
【００２１】
加熱送風機構と加熱吸気機構を有することで、頭髪に対して対流加熱と輻射加熱を同時に行えることで、乾燥時間を短縮できる。また、カーラーを使用した際には、頭髪に対する対流加熱と輻射加熱に加え、伝熱加熱を同時に行えるので、さらに頭皮に近い部分の頭髪にも熱が伝わり、全体として均一に乾燥でき施術時間の短縮ができる。
【図面の簡単な説明】
【００２２】
【図１】本考案の一の実施形態に係る装置の正面図
【図２】本考案の一の実施形態に係る装置の背面図
【図３】本考案の一の実施形態に係る装置の側面図
【図４】本考案の一の実施形態に係るユニット部
【図５】本考案の一の実施形態に係る装置の使用例
【図６】本考案の一の実施形態に係る装置の斜視図
【図７】本考案の一の実施形態に係る装置の正面図
【図８】本考案の一の実施形態に係る装置の使用例
【図９】本考案に係る輻射光と水吸収スペクトルとの関係を表す図
【考案を実施するための形態】
【００２３】
以下、本考案に係る一の実施の形態について図面１〜５を用いて説明する。
図１〜３は、本考案に係るドライヤ装置１の正面図、背面図、側面図である。
ドライヤ装置１は、図４で示すようなユニット部を、複数有している。
ユニット部は、赤外線の輻射するヒーター部４と、照射面へ送風する送風機６と、が併設されている。この場合のユニット部を、輻射送風機構２と呼ぶ。
また、別のユニット部としては、赤外線を放射するヒーター部４と、照射面から吸気する吸気機７と、が併設されている。この場合のユニット部は、輻射吸気機構３と呼ぶ。
また、図１〜３で例示のように、本実施の形態においては、ドライヤ装置１の頂部に一つの輻射吸気機構３と、上前方部、中段部、両側部に四つの輻射送風機構２を有する構成をしている。
【００２４】
ドライヤ装置１の下部には、キャスター２５を備えた基台２３が略Ｕ字状に形成され、軸台板２４を備え、重心に支筒２１を有している。支筒２１は、鉛直方向に延設している。支筒２１の上端は開口し、上端付近には固定部２２を有している。支筒２１の開口に支柱２０を挿嵌させる。固定部２２を回転して締めることで、固定部２２の一部が支柱２０を押圧して固定する。これにより、支柱２０を上下移動可能になり、上下の高さ調整ができる。後述する支柱２０の上部にある各機構が上下の高さ調整が可能になる。
【００２５】
図２に示すように、支柱２０には、さお筒１６や台枠が一体に構成されている。台枠上には、ドライヤ装置１を操作する操作パネルを含む操作ボックス１８が設置されている。操作ボックス１８からは、各輻射送風機構２並びに輻射吸気機構３への通電等を行うコード１７が延線している。例えば、コード１７は、操作ボックス１８からアーム軸１５の所定の部分に形成された開口部分へ延び、開口部分に挿入されアーム軸１５内部を通して両側の輻射送風機構２へ接続することもできる。
【００２６】
また、支柱２０と台枠と一体構造のさお筒１６が、水平方向両側に形成されている。さお筒１６の両端は開口に形成され、アーム軸１５を挿入させることで、アーム軸１５を固定することができる。さお筒１６は、水平方向に延設されている。アーム軸１５は、略Ｌ字型に屈曲している。アーム軸１４のさお筒１６方向とは反対側の先端方向には、略長方形環状のアーム１４を有している。アーム軸１５の挿入する長さの程度により、ドライヤ装置１の両側に設置された各アーム１４間の距離を調整できる。アーム１４及び連結する加熱送風機構２の水平方向の位置を調整することができる。加えて、アーム軸１５が屈曲する形状をしているため、アーム軸１５を固定することで、先端部分のアーム１４の仰俯角を調整することができる。
【００２７】
固定部１３は、略長方形環状であるアーム１４上を可動範囲として、滑動することも、固定することもできる。固定部１３を固定することで、連結する輻射送風機構２のアーム１４上での位置を調整することができる。
さらに、固定部１３は、アーム１４に対して固定された状態で、連結する輻射送風機構２を回転可能とさせる構造を有している。例えば、図２に示すように、アーム１４と赤外線ヒーター部４と送風機４とが平行になるように輻射送風機構２を固定できる。一方、図３に示すように、アーム１４と輻射送風機構２が非平行になるように固定できる。
【００２８】
図３に示すように、ドライヤ装置１の上部に設けられた支軸１９は、鉛直方向に延び、鈍角に屈曲され、頂部から前方に延設されている。
支軸１９の先端部分には、輻射送風機構４が固定されている。また、ドライヤ装置１の頂部付近には、支軸１９に輻射吸気機構３が固定部１３によって固定されている。さらに、支軸１９の基端部分には、図２に示すように操作ボックス１８の位置する高さには、輻射送風機構２が固定されている。
【００２９】
図４は、ユニット部の放出面を示したものである。
上述した通り、ユニット部には、輻射送風機構２と、輻射吸気機構３がある。輻射送風機構２は、赤外線を輻射する赤外線ヒーター部４と、照射面へ送風する送風機６と、が併設している。一方、輻射吸気機構３は、赤外線を輻射する赤外線ヒーター部４と、照射面から吸気する吸気機７と、が併設している。
図４に示すように、ユニット部には、赤外線ヒーター部４が平行に並設している。さらに、ファン５が、赤外線ヒーター部４に対して並設され、かつ、介設されている。
また、ファン５が、照射面に対して送風を行う構造の送風機６であれば、そのユニット部は輻射送風機構２となる。一方、照射面から吸気を行う構造の吸気機７であれば、そのユニット部は輻射吸気機構３となる。
【００３０】
赤外線ヒーター部４は、フィラメント８、ヒーター管、反射板９、を有している。
筒状のヒーター管の内部には、フィラメント８を内挿して、フィラメント８の両端周辺部には、導電線を通電可能に接続してある。電源を介してコード１７から通電され、赤外線ヒーター部４のヒーター管に通電される。このとき、フィラメント８が通電され赤外線を放射する。
また、放出面に対するヒーター管の背面には、略円弧状の反射板９が形成されている。反射板９は、赤外線を反射するものである。反射板９によって、フィラメント８から放射される赤外線を、放出面に向けて反射させる。これにより、放出面からは、フィラメント８から直接輻射される赤外線と、反射板９により反射された赤外線とが、集中して照射面に輻射する構造となっている。
なお、反射板９を構成する素材は限定されるものではなく、赤外線を吸収せずに効率的に反射できる物質により構成されていればよい。例示した反射板９の形状は、略半円の円柱形状の側面に似た形状であるが、これに限定されるものではなく、効率的に反射が可能な形状であればよい。
赤外線ヒーター部４の放出面は、平面であっても、曲面であってもよい。放出面が曲面である場合、反射板９の形状も曲面に沿って、湾曲に形成してもよい。
【００３１】
フィラメント８は、通電されることで赤外線を放射する。特に、２μｍ〜４μｍの波長帯に分光放射輝度のピーク波長がある赤外線を発するフィラメントとして望ましい。フィラメント８は、水の吸収波長がピークになる３μｍ周辺帯で、分光放射輝度の高い赤外線を放射できる。
また、フィラメント８の材質としては、カーボン素材のフィラメントがある。この中でも、植物性炭素繊維が材質として望ましい。
例えば、オルガヘキサと呼ばれる、綿花を原材料として、綿花繊維を炭化した植物性炭素繊維を用いることである。若しくは、フィラメント８の材質自体が植物性炭素繊維に限られるものではなく、フィラメント表面を植物性炭素繊維でコーティングしたフィラメント、若しくはヒーター管であってもよい。
ここでは、カーボン素材のフィラメントについて例示をしたが、水の吸収波長帯に分光放射輝度の高い赤外線を放射できるフィラメントであればよい。
【００３２】
植物性炭素繊維を用いたフィラメントが放射する光の波長帯は、水が光を吸収する波長帯と重複する波長帯である。水の吸収率が高い波長帯の光を輻射することで、照射され吸収した水分子の原子間運動が活発になり、熱エネルギーを発しやすくなる。そのために、照射量に対して効率的に照射対象を加熱することができる。育成光線を放射することで水分子を振動及び熱発生させることが効率的になる。
図９に例示の表について説明をする。
横軸は波長（μｍ）、縦軸に分光放射輝度（ｗ／ｓｒ／ｍ２／ｎｍ）と、水吸収率（％）を表す。実線の曲線が輻射光の波長と分光放射輝度との関係を表し、破線の曲線が水の吸収スペクトルと水吸収率との関係を表したものである。
図９で例示のものは一例であって、数値限定をするものではない。水の吸収率の高い波長領域での、波長帯の光が輻射できればよい。
【００３３】
また、ドライヤ装置１では、赤外線ヒーター部４が被施術者の頭部と近接するものである。フィラメント８に植物性炭素繊維を用いることで、同様に赤外線を放射するハロゲンヒーターなどに比較して、ヒーター管の色温度が低い性質を有する赤外線ヒーター部４となる。色温度が低いために輝度が弱くなり、赤色よりも白色に近い色の光をフィラメント８が放射するものであるために、被施術者の眼球に負荷を掛けない効果も奏する。
さらに、フィラメント８に植物性炭素繊維を用いることで、導電性が高く通電時間を短時間で放射が開始される。例えば、同様の加熱対象物に対して必要な熱量を、植物性炭素繊維の導電性や放射する赤外線の波長帯の特性により、通常の加熱ヒーターに比べ少量の電流量で同様の効果を奏するものである。また、フィラメントの温度を一定に保つことも容易となる。
【００３４】
図４に図示されているファン５は、照射面に対して送風を行う送風機６として例示されている。しかし、図４は加熱送風機構２を例示したものであり、仮に、加熱吸気機構３であれば、照射面から吸気を行い赤外線照射面と反対面に向かって吸気を行うファン５である吸気機７となる。つまり、ユニットの筺体としての構造が同じであってもよいことになる。ファン５に含まれる羽構造の回転方向の違いにより、送風と吸気が異なる構造としてもよい。
ここで、ファン５の駆動構造には扁平のブラシレスモーター、リニアモーターのような静音、静振を可能とするモーターを設けて、薄型の筺体とすることができる。
ファン５の回転体である羽構造は、送風機６であれば照射面に吹き付ける風を発生させる羽構造を有し、吸気機７であれば照射面から吸気する羽構造を有する。ここで、ファン５は二つであり、赤外線ヒーター部４に挟まれる位置で、各赤外線ヒーター部４と平行に並ぶように配置されている。また、ファン５は照射面と同様にその裏面も、開いた構造を有し通気が可能な構造をしている。
また、ファン５に係る羽構造の回転速度は、被施術者が風圧を感じない程度の送風を発生させる回転速度ができる。なお、操作パネルにより施術者により送風力若しくは吸気力の増加減が調節可能である構造を有することは言うまでもない。
さらに、従来のヒーター管の発熱を利用して温風を吹き付ける構造ではなく、本考案は、赤外線ヒーター部４の放出面とファン５の放出面とが重畳しないよう配置したものである。このため、ヒーター管のフィラメント８から放射された赤外線は、反射板９の反射面により全て反射される構造となる。重畳的に反射面の一部を割いて、ファンを設けるものではない。これにより、送風する放出面にヒーター管を配した場合よりも、効率的に赤外線を放出面より輻射することができる。
【００３５】
図５は、ドライヤ装置１の使用例である。
たとえば、両側に構成された輻射送風機構２を被施術者の側頭部の高さに調節して、頭髪の乾燥をさせる場合である。
ドライヤ装置１としては、被施術者の頭部を被覆させるものではなく、解放的な構造を有している。複数の輻射送風機構２が被施術者の頭部を囲むように配置され、頂部に設けられた輻射吸気機構３が吸気を行い効率的に、湿気を帯びた空気を吸気することができる。
これにより、赤外線の照射、送風、及び吸気が被施術者の頭髪に対して施され、対流加熱と輻射加熱と吸気により、短時間に頭髪の乾燥が可能となる。
この場合のフィラメント又はフィラメントを含むヒーター管の温度は、３００℃以下である。フィラメント８が植物性炭化繊維であるために、温度の安定性が高く、一定の温度に保ち易い。このため、輻射送風機構２、輻射吸気機構３による赤外線を輻射されることで、照射面は一定の低温に保つことが容易になる。
例えば、環境温度を３２℃に保つことができる。環境温度は低温であり、３０〜３５℃の範囲で保つことができる。一般的な人間の体温未満の温度である。
また、３５℃以下の温度で照射されることで、頭髪に対する効果的な乾燥を可能とする。加えて、本実施の形態によれば、従来よりも低温で照射された場合でも頭髪の乾燥時間を短縮することができる。さらに、３５℃以下の温度であり従来よりも低温であるために、頭髪への熱によるダメージを軽減する効果も奏する。
なお、上記低温の範囲は、同一の輻射熱について環境温度が変動することではない。上記各輻射機構に対する供給電力の調整により、輻射熱を調節した範囲に依存する変動範囲である。ゆえに、定まった強さの輻射熱に対しては、環境温度は一定の低温に保たれるものである。
【００３６】
（実施例２）
次に、本考案の一の実施形態に係る説明を、図６〜８を用いて説明する。上述した実施例１と同様の構成については省略し、加わった構成を中心に説明する。
実施例２では、例えばパーマネントウェーブを被施術者に施す際に、頭髪の形状を成形するためのカーラーを用いる場合である。頭髪を乾燥させる際、カーラーに巻き付けることにより赤外線の照射が十分にできない部分の頭髪があるため、カーラーから熱を伝え、巻き付けられた頭髪の内部からも、むらのない乾燥を促進させるものである。
【００３７】
操作ボックス１８からは、輻射送風機構２及び輻射吸気機構３へ複数の延線するコード１７に加え、集線箱３２に向けてコードが延線している。集線箱３２は、操作ボックス１８から延線されたコードの接続するものであり、カーラー３１が接続するコード３０を接続するものでもある。
また、集線箱３２の設置位置は、支軸１９上に設置されている。輻射吸気機構３に接続する固定部１３上に設けることもできる。この場合、コード３０の先端に設けられたカーラー３１自体の重さで下垂するために、被施術者の頭部の上部より延線することが望ましいためである。さらに、コード３０は集線箱３２に対して接続取り外しが可能な構造を有する接続口を構成してもよい。
【００３８】
また、集線箱３２から延線するコード３０には、各コード先端にカーラー３１を各々有している。図６等では、すでにカーラー３１を有する場合を例示している。これに限らず、コード３０の先端が接続口を有する構造であって、カーラー３１は適宜取り外し可能な構造であってもよい。カーラー３１には複数の形状のものがあり、コード３０の接続口と、カーラー３１との接続口を接続可能な構造である。また、カーラー３１の形状のみでなく、カーラー３１を加熱若しくは発熱させる構造を有するカーラーに適宜変更可能にするためでもある。
【００３９】
図８は、使用例について図示したものである。
被施術者の頭部の上方から延線したコード３０に接続されたカーラー３１を、頭髪にセットした状態であり、パーマネントウェーブの施術の際の使用例である。
上述した実施例１の場合と同様の効果を得られるものであり、カーラー３１より伝熱加熱を被施術者の頭髪に対して行うものである。
ここでのカーラー３１の加熱若しくは発熱による頭髪に対する伝熱は、平均的な乾燥効果を高めることができる。例えば、カーラー３１による伝熱温度は、６０℃以下に保たれるものである。
上述した各輻射機構に基づく輻射加熱、対流加熱に加えて、カーラー３１からの伝熱加熱によって、頭髪の乾燥時間がさらに短縮できる。これにより、各輻射機構による輻射加熱による環境温度が３０〜３５℃の範囲であり、カーラーによる伝熱加熱の温度が６０℃以下である低温でも十分に乾燥を促すことができる。
【００４０】
例えば、パーマネントウェーブを施術する際の使用例として説明を加える。
頭髪は、毛小皮と毛皮質と毛髄質により構成され、タンパク質と脂質と微量元素と水により構成されている。主成分のタンパク質を構成するアミノ酸の構造は、主鎖のペプチド結合と、側鎖のジスルフィド結合、イオン結合、水素結合により成り立っている。頭髪の主なタンパク質であるケラチンであり、主なアミノ酸がシスチンである。このシスチンを構成するジスルフィド結合を切断しシステインに還元する還元反応を起こさせるのが１剤と呼ばれる薬剤であり、システインを酸化反応させジスルフィド結合を再結合させシスチンに酸化する酸化反応を起こさせるのが２剤と呼ばれる薬剤であり、これが毛髪を変形させるパーマネントウェーブの簡単な原理の説明である。
ここで、２剤の酸化剤により結合されるのはジスルフィド結合のみであり、イオン結合及び水素結合を再結合させるのは頭髪を乾燥させること結合反応が起こるものである。
【００４１】
ここで、図８に係るパーマネントウェーブの施術のタイミングを説明する。
被施術者の頭髪に１剤を塗布した状態でカーラー３１を頭髪に巻き付け、その後、還元反応が十分に進行した後に、カーラー３１とコード３０との接続口を接続することで、変形の固定をする際、つまり、２剤を浸透させる酸化反応の際に使用されることが可能である。
２剤を塗布して頭髪に浸透させる際に、単にジスルフィド結合の再結合による頭髪の成形よりも、頭髪を乾燥させることによるイオン結合と水素結合の再結合を同時に行う方が、頭髪に対する変形の効果は大きいものとなる。そこで、２剤を塗布した後に、赤外線ヒーターによる輻射加熱と、送風・吸気による対流加熱による乾燥と、加えて、カーラーによる伝熱加熱による２剤の浸透及び乾燥を行うことが可能である。
【符号の説明】
【００４２】
１    ドライヤ装置
２    輻射送風機構
３    輻射吸気機構
４    赤外線ヒーター部
５    ファン
６    送風機
７    吸気機
８    フィラメント
９    反射板
１０  放出面
１３  固定部
１４  アーム
１５  アーム軸
１６  さお筒
１７  コード
１８  操作ボックス
１９  支軸
２０  支柱
２１  支筒
２２  固定部
２３  基台
２４  基台板
２５  キャスター
３０  コード
３１  カーラー
３２  集線箱
【図１】
0003154490.tif 000003
【図２】
0003154490.tif 000004
【図３】
0003154490.tif 000005
【図４】
0003154490.tif 000006
【図５】
0003154490.tif 000007
【図６】
0003154490.tif 000008
【図７】
0003154490.tif 000009
【図８】
0003154490.tif 000010
【図９】
0003154490.tif 000011
【手続補正書】
【提出日】平成21年8月12日(2009.8.12)
【手続補正１】
【補正対象書類名】実用新案登録請求の範囲
【補正対象項目名】全文
【補正方法】変更
【補正の内容】
【実用新案登録請求の範囲】
【請求項１】
頭髪の乾燥に用いるスタンド式のドライヤ装置であって、
２μｍ〜４μｍの波長帯に分光放射輝度のピークを有する赤外線を放射するフィラメントを有する赤外線輻射部と、
送風を行う送風部と、
吸気を行う吸気部と、
上記赤外線輻射部と、上記送風部を併設された輻射送風機構と、
上記赤外線輻射部と、上記吸気部が併設された輻射吸気機構と、
を有することを特徴とするドライヤ装置。
【請求項２】
上記輻射送風機構は、同時又は任意の組み合わせにより、上記赤外線輻射部と、上記送風部を作動させる、
上記輻射吸気機構は、同時又は任意の組み合わせにより、上記赤外線輻射部と、上記吸気部を作動させる、
ことを特徴とする上記請求項１に記載のあるドライヤ装置。
【請求項３】
上記輻射送風機構は、上記赤外線輻射部に係る赤外線放出面と、上記送風部に係る風放出面とが重ならない配置に併設される、
上記輻射吸気機構は、上記赤外線輻射部に係る赤外線放出面と、上記吸気部に係る風吸気面とが重ならない配置に併設される、
ことを特徴とする上記請求項１又は２に記載のあるドライヤ装置。
【請求項４】
上記輻射送風機構は、上記赤外線輻射部が並設され、当該赤外線輻射部の間に送風部が並設して介設される、
上記輻射吸気機構は、上記赤外線輻射部が並設され、当該赤外線輻射部の間に吸気部が並設して併設される、
ことを特徴とする上記請求項１〜３のいずれかに記載のあるドライヤ装置。
【請求項５】
上記輻射吸気機構をドライヤ装置の頂部に設け、上記輻射送風機構を上前方部と、両側部と、中段部に設けて配置する、
ことを特徴とする上記請求項１〜４のいずれかに記載のあるドライヤ装置。
【請求項６】
上記フィラメントは、植物性炭素繊維である、
ことを特徴とする上記請求項１〜５のいずれかに記載のあるドライヤ装置。
【請求項７】
複数の延線されたコードの先端に、内部に発熱体を含むカーラーと、
を有することを特徴とする上記請求項１〜６のいずれかに記載のあるドライヤ装置。
【請求項８】
複数の延線されたコードの先端に接続口が形成され、当該接続口に内部に発熱体を含むカーラーを接続する、
ことを特徴とする上記請求項１〜６のいずれかに記載のあるドライヤ装置。
【請求項９】
上記コード及びカーラーは、ドライヤ装置の頂部から下垂している、
ことを特徴とする上記請求項７又は８に記載のあるドライヤ装置。
【請求項１０】
上記輻射送風機構と、上記輻射吸気機構と、上記カーラーは、同時又は任意の組み合わせにより、上記赤外線輻射部と、上記送風部と、上記吸気部と、上記カーラーと、を作動する、
ことを特徴とする上記請求項７〜９のいずれかに記載のあるドライヤ装置。